(57)【要約】【課題】容器の底近くにある粉粒状サンプルであっても、容器に穴を空けることなく、容易に採取することができるサンプル採取装置を提供することである。【解決手段】パイプ（１）と、パイプ（１）の管内を貫通する棒状体（２）と、棒状体（２）の下端部に固定され、円錐形状又は多角錐形状を有する蓋であって、パイプ（１）又は棒状体（２）を棒状体（２）又はパイプ（１）に対して平行移動させることによりパイプ（１）の下端部を遮蔽又は開放するための蓋（３）とを備えることを特徴とする粉粒状サンプルの採取装置を用いる。さらに、パイプ（１）又は棒状体（２）が棒状体（２）又はパイプ（１）に対して平行移動しないようにするためのストッパー（４）を備えることが好ましい。【選択図】図１
2007225290.tif 000002
【特許請求の範囲】
【請求項１】
パイプ（１）と、
パイプ（１）の管内を貫通する棒状体（２）と、
棒状体（２）の下端部に固定され、円錐形状又は多角錐形状を有する蓋であって、パイプ（１）又は棒状体（２）を棒状体（２）又はパイプ（１）に対して平行移動させることによりパイプ（１）の下端部を遮蔽又は開放するための蓋（３）とを備えることを特徴とする粉粒状サンプルの採取装置。
【請求項２】
さらに、パイプ（１）又は棒状体（２）が棒状体（２）又はパイプ（１）に対して平行移動しないようにするためのストッパー（４）を備える請求項１に記載の採取装置。
【請求項３】
パイプ（１）の外周にねじ込み翼（５）を備える請求項１又は２に記載の採取装置。
【請求項４】
粉粒状サンプルを揺動させて蓋（３）の内部に粉粒状サンプルを落下させるための揺動部材（６）を、パイプ（１）の下部に備える請求項１〜３のいずれかに記載の採取装置。
【発明の詳細な説明】
【技術分野】
【０００１】
本発明は、粉粒状サンプルの採取装置に関する。
【背景技術】
【０００２】
従来、容器の底近くにある粉粒状サンプルを採取する際に、容器の底近くに穴を空けて、粉粒状サンプルを採取する方法等が採用されている。
一方、サンプリング液体を充填可能な装置として、上部と下部に開口部が形成された液体充填容器と、前記液体充填容器内に設けられ、前記サンプリング液体を貯留可能で上部に開口部が形成された液体貯留容器と、前記液体充填容器の上部の前記開口部に接続され、前記液体充填容器内に連通する管と、前記管の内部を前記管の外部に対して開放、閉鎖する弁と、を備えたことを特徴とするサンプリング装置が知られている（特許文献１）。
【０００３】
【特許文献１】特開２００５−１６４４６６号公報
【発明の開示】
【発明が解決しようとする課題】
【０００４】
容器の底近くに穴を空ける方法では、サンプリング後に、穴からサンプルが漏れたり、異物等が混入しやすいという問題がある。
一方、上記装置では、サンプルの流路が複雑なため、粉粒状サンプルが液体貯蔵容器内に流入できないという問題がある。
本発明の目的は、容器の底近くにある粉粒状サンプルであっても、容器に穴を空けることなく、容易に採取することができるサンプル採取装置を提供することである。
【課題を解決するための手段】
【０００５】
本発明の粉粒状サンプルの採取装置の特徴は、
パイプ（１）と、
パイプ（１）の管内を貫通する棒状体（２）と、
棒状体（２）の下端部に固定され、円錐形状又は多角錐形状を有する蓋であって、パイプ（１）又は棒状体（２）を棒状体（２）又はパイプ（１）に対して平行移動させることによりパイプ（１）の下端部を遮蔽又は開放するための蓋（３）とを備える点を要旨とする。
【０００６】
粉粒状サンプルとしては、粉状、粒状又はこれらの混合物であれば、天然物でも人工物でもよく、たとえば、工業化学品｛プラスチック粉粒、セラミック粉粒、ガラス粉粒及び金属粉粒等｝、小型構造体（機械部品）｛ナット、ボルト、ねじ、座金、画鋲、クリップ及びボタン等｝、食品｛塩、砂糖、コショウ、大豆、栗、お茶の葉、コーヒー豆、インスタントコーヒー粉、パン粉、小麦粉及び冷凍コーン等｝、土砂｛砂及び石等｝及び種子が含まれる。
本発明の採取装置は、粉粒状サンプルの他に、各種スラリー（液体に粉粒状サンプルが分散した分散体）等にも適用できる。
粉粒状サンプルは、容器等に入っていてもよいし、入っていなくてもよい。容器としては、石油缶、ドラム缶、１トンコンテナ等が挙げられる。
本発明の採取装置の大きさ｛パイプ（１）の長さ・太さ、棒状体（２）の長さ・太さ、蓋（３）の開口径・深さ等｝は、採取したい粉粒状サンプルの量、存在位置等を考慮して、適宜決定される（人間が容易に持ち運べる大きさであることが好ましいが、これに限らない）。
【発明の効果】
【０００７】
本発明の粉粒状サンプルの採取装置は、容器の底近くにある粉粒状サンプルであっても、容器に穴を空けることなく、容易に採取することができる。よって、サンプリング後に、穴からサンプルが漏れたり、異物等が混入するという問題が生じない。
【発明を実施するための最良の形態】
【０００８】
本発明の粉粒状サンプルの採取装置は、パイプ（１）と、パイプ（１）の管内を貫通する棒状体（２）と、棒状体（２）の下端部に固定される蓋であって、パイプ（１）又は棒状体（２）を棒状体（２）又はパイプ（１）に対して平行移動させることによりパイプ（１）の下端部を遮蔽又は開放するための蓋（３）とから構成されている｛図１においては、さらに、グリップ（７）と、ガイド（８）とを含んで構成されている｝。
【０００９】
パイプ（１）は、パイプ（１）又は棒状体（２）を棒状体（２）又はパイプ（１）に対して平行移動させることにより、蓋（３）によってパイプ（１）の下端部を遮蔽又は開放できるように構成される。
なお、遮蔽とは、蓋（３）の上端部とパイプ（１）の下端部とが密着して、蓋（３）の内部に粉粒状サンプルが外部に排出したり、外部から流入したりしない程度に遮蔽されていればよく、必ずしも気密状態までする必要はない（液体や気体を採取する場合とは相違する）。しかし、密着性を向上させるため、蓋（３）の上端部とパイプ（１）の下端部とが隙間なく密着できることが好ましい。必要に応じて、蓋（３）の上端部及び／又はパイプ（１）の下端部に、パッキン（プラスチック製、ゴム製、スポンジ等）を設けてもよい。
また、蓋（３）の上端部とパイプ（１）の下端部とが密着する際、蓋（３）の上端部とパイプ（１）の下端部とに挟まれて、粉粒状サンプルが破壊するのを防ぐような構造が好ましい。このような構造としては、蓋（３）の上端部とパイプ（１）の下端部との密着する面積を最小限となるような構造（たとえば、上端部及び下端部が鋭利な刃）や、柔らかなパッキンを設けた構造等が含まれる。
【００１０】
パイプ（１）の管内を棒状体（２）が貫通できれば、パイプ（１）の形状に制限はないが、パイプ（１）の形状（外形及び管内の形状）は円柱状又は多角柱状｛三角柱、四角柱、五角柱、六角柱及び七角柱等｝であることが好ましい。
パイプ（１）の外周に、ねじ込み翼（５）を備えていてもよい。
ねじ込み翼（５）としては、図３に示すようなネジ状の翼等が挙げられる。このねじ込み翼（５）を備えると、粉粒状サンプルに流動性が乏しく、採取装置をサンプリング対象の内部へ挿入しにくい場合でも、サンプリング対象の内部への挿入を容易にすることができる。
【００１１】
パイプ（１）の下端部の外径は、パイプ（１）の上端部の外径よりも大きいことが好ましい（たとえば、図１のように、パイプの途中から下端部にかけて広がった形状）。さらに好ましくはパイプ（１）の下端部より長さ（ａ〜２ａ）の位置から、下端部にかけて広がった形状をもつこと｛ただし、長さ（ａ〜２ａ）は、パイプ（１）の上端部の外径と同じ長さ（ａ）乃至この長さの２倍の長さ（２ａ）を意味する｝、特に好ましくはパイプ（１）の下端部より長さ（ａ〜２ａ）の位置から、下端部にかけて広がった形状であって、パイプ（１）の下端部の外径が１．５ａ〜３ａ（さらに好ましくは２ａ〜２．５ａ）となる形状である。このような外形にすると、サンプリングの際に粉粒状サンプルが蓋（３）の中にさらに入りやすくなる。すなわち、パイプ（１）を棒状体（２）に対して平行移動させてパイプ（１）の下端部を開放させる際、パイプ（１）の下端部周辺の粉粒状サンプルを押しのける力が加わり、この周辺が加圧されると同時に、この下端部の下できる空間には負圧が生じるため、この空間に粉粒状サンプルが入り込みやすくなる。
【００１２】
パイプ（１）の下部には、揺動部材（６）を備えてもよい。
揺動部材（６）は、粉粒状サンプルを揺動させて蓋（３）の内部に粉粒状サンプルを落下させるための部材であり、たとえば、図４に示すような４つの円柱形状部材が挙げられる。揺動部材（６）を備えると、粉粒状サンプルが流動性に乏しい場合でも、粉粒状サンプルを蓋（３）の中に入りやすくできる。
【００１３】
パイプ（１）の管内にはガイド（８）を設けてもよい｛図１にガイド（８）を設けた例を示している｝。
ガイド（８）は、パイプ（１）に固定されていればよく、パイプ（１）と一体成形してもよいし、パイプ（１）とガイド（８）とを固定手段｛溶接、接着剤による接着、ねじ込み又ははめ込み等｝によって、接合してもよい。
ガイド（８）は、パイプ（１）と棒状体（２）との摩擦の観点等から、パイプ（１）の内部に少なくとも１個有することが好ましく、さらに好ましくは２個有することである。
ガイド（８）の設置場所としては、図１のようにパイプ（１）の上部及び下部の２ヶ所に設けてもよいし、上部と中間部と下部とでも、パイプ（１）全体でもよい。
なお、パイプ（１）の内径と棒状体（２）の外径とが近接しているときは、ガイド（８）を設ける必要はない。
【００１４】
棒状体（２）は、パイプ（１）の管内を貫通して設けられており、ガイド（８）を設けた場合、ガイド（８）をも貫通して設けられる。
棒状体（２）の上部には、棒状体（２）の操作性の観点等から、グリップ（７）を設けることが好ましい｛図１では上端部にグリップ（７）を設けている｝。
グリップ（７）は、棒状体（２）と一体成形されてもよく、棒状体（２）とグリップ（７）とを固定手段によって接合してもよい。
グリップ（７）を設ける場合、この形状には制限がなく、棒状体（２）を操作しやすい形状（たとえば自動二輪車のグリップのような構造）が好ましい。また、設置位置にも制限がなく、棒状体（２）を操作しやすい位置（たとえば上端部）が好ましい。
【００１５】
一方、棒状体（２）の下端部には、蓋（３）が設けられている。
蓋（３）は、棒状体（２）の下端部に固定されていればよく、棒状体（２）と一体成形してもよいし、棒状体（２）と蓋（３）とを固定手段によって接合してもよい。
蓋（３）の外形としては、円錐形状又は多角錐形状（三角錐形状、四角錐形状、五角錐形状、六角錐形状及び七角錐形状等）からなる外形に限られず、円錐形状又は多角錐形状と円柱又は多角柱とからなる外形でもよい｛たとえば、円錐形状からなる外形（図１）、六角錐と六角柱とからなる外形（図５）等｝。このような外形を有することにより、粉粒状サンプルを採取する対象の内部へ挿入しやすくなる。また、棒状体（２）をパイプ（１）に対して平行移動させて蓋（３）の上端部を開放させる際、蓋（３）の上端部周辺の粉粒状サンプルを押しのける力が加わり、この周辺が加圧されると同時に、この上端部の上できる空間には負圧が生じるため、この空間に粉粒状サンプルが入り込みやすくなる。
蓋（３）は、棒状体（２）をパイプ（１）に対して平行移動させることにより、パイプ（１）の下端部を遮蔽又は開放できるように構成される。
蓋（３）の内部には、粉粒状サンプルが保持できる程度の空間を有する。
蓋（３）の内形は、その外形に拘わらず粉粒状サンプルが保持できれる形状であればよいが、粉粒状サンプルの残存量｛採取した粉粒状サンプルを外へ取り出した後に蓋（３）の内部に残る量｝が少ない形状が好ましい｛たとえば、半球状、紡錘状｝。
【００１６】
本発明の採取装置には、パイプ（１）又は棒状体（２）が棒状体（２）又はパイプ（１）に対して平行移動しないようにするためのストッパー（４）を備えてもよい。
ストッパー（４）としては、パイプ（１）と棒状体（２）とが平行移動しないように固定できればどんな機構であってもよく、たとえば、図２に示すような円柱状部材とパイプ（１）の上端部に設けた切り込み（図２では２カ所あるが１カ所でも、３カ所でもよい）とからなる構造等が挙げられる｛パイプ（１）の下端部と蓋（３）とを開放するには、円柱状部材を切り込みに落とし込むことにより達成される｝。
【００１７】
本発明の採取装置は、どんな材料で構成されてもよいが、耐久性の観点等から、金属製が好ましく、さらに好ましくはステンレス又はアルミニウムである。なお、異なる材料を組み合わせて構成できる。
以上、本発明の採取装置について説明したが、本発明はこれに限定されるものではなく、当業者の通常の知識の範囲内でその変更や改良ができるものである。
【図面の簡単な説明】
【００１８】
【図１】本発明の実施形態の一つを模式的に示した断面図である。
【図２】ストッパー（４）の一態様を模式的に示した斜視図である。
【図３】本発明の実施形態の一つ（ねじ込み翼を持つ例）を模式的に示した斜視図である。
【図４】揺動材（６）の一態様を模式的に示した斜視図である。
【図５】六角錐と六角柱とからなる外形を有する蓋（３）を模式的に示した斜視図である。
【符号の説明】
【００１９】
１  パイプ
２  棒状体
３  蓋
５  ねじ込み翼
６  揺動材
７  グリップ
８  ガイド
【図１】
2007225290.tif 000003
【図２】
2007225290.tif 000004
【図３】
2007225290.tif 000005
【図４】
2007225290.tif 000006
【図５】
2007225290.tif 000007